(57)【要約】【課題】勾配のある人工水路に自然の力を利用して水生生物が生息可能な領域をつくる。【解決手段】人工水路２は、自然底質の底部４とコンクリートで護岸された側壁部３Ａ、３Ｂとを備えている。この人工水路２には、両側壁部３Ａ、３Ｂを結ぶ桟６を所定の間隔Ｄ１で設け、これら桟６の上部には、隣り合う桟６、６と幅方向位置を異ならせて形成された切欠部５Ａ、５Ｂを設け、この切欠部５Ａ、５Ｂに堰上げ板８を差し入れている。切欠部５Ａ、５Ｂと桟６とにより、水流を下方の流れの水域Ｓ１と水平な流れの水域Ｓ２と生じせしめ、水域Ｓ１では、洗掘により淵１２を形成し、水域Ｓ２では、土砂を堆積させて瀬１１を形成するようにしている。【選択図】        図１
2004162309.tif 000002
【特許請求の範囲】
【請求項１】
底部と側壁部とのうち少なくとも側壁部が保護材により護岸された人工水路において、この人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置したことを特徴とする人工水路。
【請求項２】
側壁部には、切欠部近傍の溢流域に臨む部位に、水生生物が逃げ隠れ可能な空隙部を形成した空隙体を設けたことを特徴とする請求項１に記載の人工水路。
【請求項３】
人工水路の底部を自然底質から構成し、底部には、切欠部から溢流する水流が下方に流れる部位に洗掘を防ぐ洗掘防止部材を設けたことを特徴とする請求項１または２に記載の人工水路。
【請求項４】
人工水路の底部を保護材から構成し、桟間に土砂を投入するとともに、この投入された土砂に応じて切欠部の底面からの高さが設定されることを特徴とする請求項１ないし３のうちいずれか１に記載の人工水路。
【請求項５】
人工水路を傾斜させて形成したことを特徴とする請求項１ないし４のうちいずれか１に記載の人工水路。
【請求項６】
切欠部には、底部からの高さと幅とを調整可能な堰上げ板が差し入れられることを特徴とする請求項１ないし５のうちいずれか１に記載の人工水路。
【請求項７】
底部と側壁部とのうち少なくとも側壁部が保護材により護岸された人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置し、水流が下方に流れる水域と水平に流れる水域とを形成し、水流が下方に流れる水域に洗掘により徐々に淵を形成し、水平に流れる水域に淵の形成に伴い水流中の土砂を堆積させて瀬を形成するようにしたことを特徴とする人工水路の底質形成方法。
【請求項８】
桟の設置後、桟間に土砂を投入することを特徴とする請求項７に記載の人工水路の底質形成方法。
【請求項９】
桟の設置後、桟の上流側の水流に土砂を投入し、淵と瀬の形成を促進することを特徴とする請求項７または８に記載の人工水路の底質形成方法。
【発明の詳細な説明】
【０００１】
【発明の属する技術分野】
本発明は、生態系を保全するための人工水路とその底質形成方法に関する。
【０００２】
【従来の技術】
農業水路等の人工的排水路は、一般にコンクリート護岸により整備されてきた。河川生態系と水田生態系とを結ぶ農業排水路では、特に中山間地域の傾斜水路においては、水路がコンクリート護岸等により整備されると、二次的自然環境を育んできた水路内の物理的水域環境が変化し、特に傾斜が急になると、流れが高速射流の薄層流となり単調化する。従って、魚類等の生息環境は激変してしまう。すなわち、水路の近代化（水田のほ場整備事業等）によるコンクリート水路では、水深が浅く、流れが速くなり、特に傾斜水路では水路床の底質（土砂等）が洗い流され、生物や植生が育つ環境が損なわれた。このため、近年、生態系を保全するタイプの水路として水路側護岸に魚巣ブロックを配置する技術が開発され適用されている（例えば、特許文献１参照。）。また、水路側護岸に植生帯を配置する技術も知られている（例えば、特許文献２参照）。
【０００３】
【特許文献１】
特開２００２−１０５９２６号公報（第２頁、図１）
【特許文献２】
特開平５−１１８０１７号公報（第３頁、図１）
【０００４】
【発明が解決しようとする課題】
しかしながら、傾斜地に設けられたコンクリート水路では、水深が浅く、しかも流れが速いため、生態系を保全する機能が皆無に等しい。このため、水路護岸に魚巣ブロックを配置しても、内部に土砂が堆積したり、水流が偏流して、水域が形成されないなど、機能を果たしにくいという問題がある。また、水路側護岸に植生帯を配置する場合、水路幅が狭いと配置しにくいだけでなく、水流に悪影響を及ぼす可能性があり、コストがかかるという問題がある。また、傾斜地では、水深が浅く、しかも流れが速いため、植生帯が浸食されるという問題がある。
【０００５】
本発明は上記課題を解決するためになされたもので、水路勾配が急であったり水路幅が狭いといった地形的条件の制約下においても、簡素な構成で多様で豊かな生態系の保全を図る水域環境を実現できる人工水路とその底質形成方法を提供することを目的とするものである。
【０００６】
【課題を解決するための手段】
本発明に係る人工水路は、底部と側壁部とのうち少なくとも側壁部が保護材により護岸された人工水路において、この人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置したものである。
【０００７】
本発明に係る人工水路では、底部と側壁部とのうち少なくとも側壁部が保護材により護岸された人工水路において、この人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置したことにより、水流は切欠部を溢流すると下方に流れ、この水域では下方の流れにより底部が洗掘される。底部を洗掘した下方の流れは水平な流れに変わり、下流に形成される瀬または下流側桟にぶつかり向きを変えて幅方向位置の異なる下流側桟の切欠部から流出する。水平に流れる水域では、水流中の土砂が堆積されて瀬が形成される。上流側桟から下流側桟にかけて隣り合う桟間の底部ごとにこの流れが繰り返され、桟の設けられた場所では水流が蛇行される。下方への流れの水域に淵が、水平な流れの水域に瀬がそれぞれ形成されることにより底質が多様化されて水流の流速も多様化される水域環境が形成され、水生生物が生息し易くなり、生態系の保全が図られる。
【０００８】
また、請求項２に係る人工水路は、側壁部には、切欠部近傍の溢流域に臨む部位に、水生生物が逃げ隠れ可能な空隙部を形成した空隙体を設けたものである。
【０００９】
請求項２に係る人工水路では、側壁部には、切欠部近傍の溢流域に臨む部位に、水生生物が逃げ隠れ可能な空隙部を形成した空隙体を設けたことにより、切欠部近傍の溢流域に臨む部位では、水流が常に下方へ流れるので、空隙体は絶えず下方への流れに曝され内部の空隙に土砂が堆積しにくい。このため、空隙部には常に水が満たされるので、水生生物が逃げ隠れしやすい。
【００１０】
請求項３に係る人工水路は、人工水路の底部を自然底質から構成し、底部には、切欠部から溢流する水流が下方に流れる部位に洗掘を防ぐ洗掘防止部材を設けたものである。
【００１１】
請求項３に係る人工水路では、人工水路の底部を自然底質から構成し、底部には、切欠部から溢流する水流が下方に流れる部位に洗掘を防ぐ洗掘防止部材を設けたことにより、自然底質の底部は、洗掘防止部材により切欠部から溢流する水流による川底の過度の洗掘を防ぐことができ、人工水路に求められる排水路としての本来の機能の保全が図られる。
【００１２】
請求項４に係る人工水路は、人工水路の底部を保護材から構成し、桟間に土砂を投入するとともに、この投入された土砂に応じて切欠部の底面からの高さが設定されるようにしたものである。
【００１３】
請求項４に係る人工水路では、人工水路の底部を保護材から構成し、桟間に土砂を投入するとともに、この投入された土砂に応じて切欠部の底面からの高さが設定されるようにしたことにより、底部が保護材で構成されていても、供給された土砂を洗掘し、淵と瀬が形成されるので、水路内の流速と底質を多様化することができ、生態系の保全が図られる。
【００１４】
請求項５に係る人工水路は、人工水路を傾斜させて形成したものである。
【００１５】
請求項５に係る人工水路では、人工水路を傾斜させて形成したことにより、たとえ水路の物理的特性により生態系の保全を図りにくい、例えば中山間地域等の傾斜した人工水路であっても、淵と瀬を形成して人工水路内の流速と底質を多様化することができるので、傾斜水路であっても生態系の保全が図られる。
【００１６】
請求項６に係る人工水路は、切欠部には、底部からの高さと幅とを調整可能な堰上げ板が差し入れられるようにしたものである。
【００１７】
請求項６に係る人工水路では、切欠部には、底部からの高さと幅とを調整可能な堰上げ板が差し入れられるようにしたことにより、人工水路の傾斜度が異なったり水量が異なる場合でも、現場の状況に応じて、堰上げ板を切欠部に差し入れて底部からの高さや幅を調整し、淵と瀬の形成に好ましい高さと幅に設定することができる。
【００１８】
本発明に係る人工水路の底質形成方法は、底部と側壁部とのうち少なくとも側壁部が保護材により護岸された人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置し、水流が下方に流れる水域と水平に流れる水域とを形成し、水流が下方に流れる水域に洗掘により徐々に淵を形成し、水平に流れる水域に淵の形成に伴い水流中の土砂を堆積させて瀬を形成するようにしたものである。
【００１９】
本発明に係る人工水路の底質形成方法では、底部と側壁部とのうち少なくとも側壁部が保護材により護岸された人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置し、水流が下方に流れる水域と水平に流れる水域とを形成し、水流が下方に流れる水域に洗掘により徐々に淵を形成し、水平に流れる水域に淵の形成に伴い水流中の土砂を堆積させて瀬を形成するようにしたことにより、まず、水流は切欠部を溢流すると下方に流れ、この水域では下方の流れにより底部が洗掘される。底部を洗掘した下方の流れは水平な流れに変わり、下流側の瀬または桟にぶつかり向きを変えて幅方向位置の異なる下流側桟の切欠部から流出する。水平に流れる水域では、水流中の土砂が堆積される。水流が下方に流れる水域で洗掘が行われ、水平に流れる水域で水流中の土砂の堆積が続くと、洗掘により淵が形成されるとともに、淵の形成に伴って瀬が形成される。上流側桟から下流側桟にかけて隣り合う桟間の底部ごとにこの流れが繰り返され、桟の設けられた場所では水流が蛇行される。淵と瀬がそれぞれ形成されることにより底質が多様化されて水流の流速も多様化されるので、水生生物が生息し易くなり、生態系の保全が図られる。
【００２０】
請求項８に係る人工水路の底質形成方法は、桟の設置後、桟間に土砂を投入するようにしたものである。
【００２１】
請求項８に係る人工水路の底質形成方法では、桟の設置後、桟間に土砂を投入するようにしたことにより、投入された土砂が水流に曝されて瀬と淵とが形成されるので、自然底質の洗掘による淵の形成や水中の土砂の自然沈降による瀬の形成に較べて短時間で形成することができる。また、たとえ、底部が保護材で構成されていても、淵を形成することができる。
【００２２】
請求項９に係る人工水路の底質形成方法は、桟の設置後、桟の上流側の水流に土砂を投入し、淵と瀬の形成を促進するようにしたものである。
【００２３】
請求項９に係る人工水路の底質形成方法では、桟の設置後、桟の上流側の水流に土砂を投入し、淵と瀬の形成を促進するようにしたことにより、自然に任せて生態系を保全する水域環境を形成させ、より迅速に瀬を形成することができる。
【００２４】
【発明の実施の形態】
以下、図面に基づいて本発明の実施の形態について説明する。図１は本発明の一実施の形態に係る人工水路を示す斜視図、図２の（Ａ）、（Ｂ）はそれぞれ、図１の人工水路の、水位が異なる状態の断面を模式的に示す模式図、図３は、図１の人工水路の要部を拡大して示す要部拡大斜視図である。本発明の一実施の形態に係る人工水路２は、河川生態系と水田生態系とを結ぶ農業排水路であって、特に中山間地域等に設けられた傾斜水路である。本実施の形態に係る人工水路２は、図１および図２の（Ａ）、（Ｂ）に示すように、側壁部３Ａ、３Ｂと底部４とを備えている。側壁部３Ａ、３Ｂはコンクリートパネル（保護材）により護岸されている。底部４は自然底質（土砂）を利用している。この人工水路２は所定の勾配（例えば、本実施の形態の場合、１／２０）を有している。
【００２５】
この人工水路２には、図１および図３に示すように、上部に切欠部５Ａ、５Ｂが形成され所定の高さＨ１（例えば、水路幅１００に対して３０の割合）を有する桟６が両側壁部３Ａ、３Ｂ間に設けられる。桟６は、コンクリートアームにより形成され、流れ方向に沿って所定の間隔Ｄ１（例えば、水路幅１００に対して１２０の割合）ごとに設けられる。桟６は、流れ方向に所定の幅Ｗ１（例えば、水路幅１００に対して１２の割合）を有している（Ｄ１、Ｗ１が上記割合の場合、桟６、６間の間隔は、水路幅１００に対して１０８の割合）。切欠部５Ａ、５Ｂの底面５Ｃは、桟６の底面から所定の高さＨ４を有している。
【００２６】
上下流で隣り合う桟の切欠部５Ａ、５Ｂはそれぞれ、図１に示すように、例えば隣り合う桟６のうち一方の桟６の切欠部５Ａは、一方の側壁部３Ａ近傍に、他方の桟６の切欠部５Ｂは、他方の側壁部３Ｂ近傍に形成される。このため、隣り合う桟６の切欠部５Ａ、５Ｂは互いに幅方向の位置が異なるようになっている。切欠部５Ａ、５Ｂには、図３に示すように、両側面に縦溝が形成され、これら縦溝に堰上げ板８が差し入れられる。堰上げ板８は、所定の高さ寸法Ｈ３（本実施の形態の場合、１０ｃｍ）を有し、現場の状況に合わせて、すなわち、水路面積、水量、勾配、桟高さＨ１等に応じて、切欠部高さＨ２が設定される。この切欠部高さＨ２は、桟６底面から切欠部５Ａ、５Ｂの底面５Ｃまでの高さＨ４に堰上げ板８の高さＨ３を加えたものである（Ｈ４＋Ｈ３＝Ｈ２＜Ｈ１）。堰上げ板８は、高さの異なる多種の板を適宜選択して、あるいは、高さ寸法が同一の複数の板を所望の数選択し上下に重ねて用いられる。このため、切欠部高さＨ２は、調整することができるようになっている。また、堰上げ板８の幅Ｗ２も調整可能になっている。
【００２７】
隣り合う桟６、６の切欠部５Ａ、５Ｂのうち、一方の桟６の切欠部５Ａを一方の側壁部３Ａ近傍に、他方の桟６の切欠部５Ｂを他方の側壁部３Ｂ近傍に形成したので、例えば、流量がほぼ一定で、水位が桟６の上端部から堰上げ板８上端部切欠部高さＨ２の間にある場合（図２の（Ａ）、図９ないし図１１参照）、上流側の桟６を通過した流れは、上流側切欠部５Ａの堰上げ板８上端部から溢流すると下方に向かって落下する流れ（図１および図２の水域Ｓ１参照）となり、この下方の流れは底部４に達して下流側に流れ（図１および図２の水域Ｓ２参照）、水量に応じて一部は、下流側桟６に向かって流れ、下流側桟６にぶつかると向きを変え幅方向反対側の下流側切欠部５Ｂから流出し、一部は上流側切欠部５Ａから下流側切欠部５Ｂに向かって流れるようになっている。こうして桟６が設けられた流域では、蛇行する水流Ｓ（図１参照）となって流れる。
【００２８】
上下流の桟６間で区切られた底部４では、時間の経過により、水域Ｓ１で落下する流れにより自然底質の底部４が洗掘されて淵１２が形成され、水平な流れの水域Ｓ２では、洗掘に伴い水中の土砂が堆積され瀬１１が形成される。水域Ｓ１、Ｓ２から外れた場所には土砂の露出した滞積部分１３が形成される。この瀬１１は、例えば、図５および図６に示すように、水深の浅い部分（図６の水際線−６ｃｍの底質地形について−１０の等高線（水深４ｃｍ）の領域参照）であり、滞積部分１３は、図５および図６に示すように、水位の上昇時、水深の浅い水域となり、水位の低下時、土砂が露出するようになる。
【００２９】
底面４に瀬１１と淵１２が形成された後、例えば、水量が増大し、図２の（Ｂ）に示すように、水位が桟６の上方に達し、切欠部５Ａ、５Ｂでの水流が落下流から水平流になると、図１２、図１３および図１５に示すように、水深は全体として深くなり形状は水流の影響を受け多少変化するものの、瀬１１と淵１２は崩れることなく、保持される。
【００３０】
桟６の下流側で切欠部５Ａ、５Ｂに近い方の側壁部３Ａ、３Ｂには、下部が底部４の土中に達するブロック（空隙体）７が淵１２の脇に設けられる。ブロック７は、開口した箱状コンクリートブロック内に水生生物が逃げ隠れ可能な空間が多数形成されて構成される。
【００３１】
次に、本発明に係る人工水路の底質形成方法について、上記実施の形態に係る人工水路２の作用に基づいて図を参照して説明する。コンクリートパネルにより形成された側壁部３Ａ、３Ｂと、自然底質（土砂）の底部４とを備えた人工水路２には、図１および図２の（Ａ）、（Ｂ）に示すように、上部に切欠部５Ａ、５Ｂが形成された桟６を所定の間隔Ｄ１毎に設け、しかも、隣り合う桟６の切欠部５Ａ、５Ｂをそれぞれ、幅方向両側に交互に位置させているので、人工水路２の上流側から流れ下る水流が、最も上流側の桟６に達し、図２の（Ａ）に示すように、水位が桟６上端部と堰上げ板８上端部との間にあると、この切欠部５Ａの堰上げ板８上端から下方へ落下する流れが生じ、水流は縦方向に変化させられる。この流れは下流側に水平に導かれ、下流側桟６にぶつかると幅方向に変化させられ、下流側切欠部５Ｂから流出する。水量が多い場合、水流の一部は上流側切欠部５Ａから下流側切欠部５Ｂに直接向かって流れる。
【００３２】
水流は、順次下流側に設置された桟６に向かい、切欠部５Ａ、５Ｂの堰上げ板８からの落下と下流側桟６による流れの向きの変化とにより水流Ｓとなって流れる。こうして、人工水路２には、所定の水量時、すなわち、水流が桟６の上端部を越すことなく、切欠部５Ａの堰上げ板８上端部から落下する水量である場合、隣り合う桟６、６間ごとに、下方への流れの水域Ｓ１と、水平な流れの水域Ｓ２とが生まれる。水域Ｓ２の水流は、下方への流れの水域Ｓ１から下流側桟６に向かって水平に流れる。このとき、水域Ｓ２の水流は、流量に応じて、すなわち、小流量（図７のＣａｓｅ１および図９参照）の場合、切欠部５Ａ下流から直線的に流れ、下流側桟６にぶつかり向きが変えられる。中流量（図７のＣａｓｅ２および図１０参照）および大流量（図７のＣａｓｅ３、図１１、図５および図６参照）の場合、小流量時の流れに加え、上流側切欠部５Ａ下流から直接下流側切欠部５Ｂに向かう流れが生じる。この結果、最上流側桟６から最下流側桟６との間の水路面には、蛇行した流れが発生する。
【００３３】
こうして人工水路２の底部４には、瀬１１と淵１２と土砂滞積部分１３とからなる底質が形成される（図６の水路底質地形の実験結果参照）。瀬１１と淵１２とからなる底質は、起伏に富み場所により流速が変化するので、流速が多様化し水生生物の棲息しやすい水域となる。土砂滞積部分１３は、水位の上昇時、水深の浅い瀬１１の水域となり、水位が低下すると、水面上に露出して土砂滞積部分１３となる。
【００３４】
ブロック７は、切欠部５Ａ、５Ｂ近傍の下流側側壁部３Ａ、３Ｂ下部から底部４の土中にかけて設けられているので、淵１２が形成されると、下部が淵１２に臨んで開口してゆく。ブロック７が淵１２に臨むと、ブロック７内には、絶えず切欠部５Ａ、５Ｂの堰上げ板８から落下する流れが流入して土砂の堆積が抑えられる。このため、ブロック７に土砂が堆積することがなく、常に水生生物が逃げ隠れできる空間が確保される。
【００３５】
このように低水量時（図７のＣａｓｅ１ないしＣａｓｅ３に相当する。）、瀬１１と淵１２が形成された人工水路２において、水量が増大し、図２の（Ｂ）に示すように、水位が桟６の上方に達し、切欠部５Ａ、５Ｂでの水流が落下流から水平流になると（図７のＣａｓｅ４ないしＣａｓｅ５に相当する。）、図１２、図１３および図１５に示すように、水深は全体として深くなり形状は水流の影響を受けて変化し多少土砂の侵食が大きくなるものの、瀬１１と淵１２は大きく崩れることなく、底質の多様化は保持される。また、図１５に示すように、Ｃａｓｅ４から水量を増大させたＣａｓｅ５では、Ｃａｓｅ４で堆積された瀬の土砂が水平流によって運搬され、侵食が軽減される。よって流量が増大しても、桟と桟の間で水平流によって土砂の地形が均平化されるため、水路底の洗掘は防止される。そして、低水量時に戻ると、再び、水流の力により穏やかな瀬１１と淵１２が形成される。このように、人工水路における流速と底質との多様化により多様な水生生物の生息が可能となり、生態系が保全される。
【００３６】
上記人工水路の底質形成方法では、瀬１１と淵１２の形成を自然の力に任せているがこれに限られるものではなく、桟６を設置した後、多数の桟６間に土砂を投入して、水流に曝し、短時間で瀬１１と淵１２とを形成するようにしてもよい。また、多数の桟６の上流側の水流に土砂を投入し、瀬１１と淵１２の形成を促進するようにしてもよい。
【００３７】
【実施例】
上記実施の形態に係る人工水路２について、同一の構成による水理実験を下記の通り実施した。その実施例の内容と結果を図３から図１２に示す。
【００３８】
実験装置は、図４に示すように、実験規模がプロトタイプに近い水路幅：１．０ｍ、水路勾配：１／２０、長さ：１０ｍのコンクリート矩形水路（図４はその一部を示す。）内の底部に、木製の、図３に示す桟（コンクリートアームを模擬）６を設置し、左右交互に欠口（切欠部）５Ａ、５Ｂを設けて構成した。桟６は、図３に示すように幅（Ｗ１）：１２ｃｍ、桟６間の間隔（Ｄ１−Ｗ１）：１０８ｃｍ、桟６の間隔（Ｄ１）：１２０ｃｍである。
【００３９】
桟６の間（水路底質）には、水を流す前に予め厚さ３０ｃｍの砂（粒径０．００７５〜４．７５ｍｍ）を桟６上端面の高さまで敷き均した。実験中には、砂の掃流に応じて上流より砂の供給を行った。水路側壁３Ａ、３Ｂは鉛直のコンクリート面である。欠口形状（切欠部形状）は、全体幅（Ｗ２）：２０ｃｍ、深さ（Ｄｐ１）：１５ｃｍである。実験では、この欠口（切欠部）５Ａ、５Ｂを、２０ｃｍ（切欠部幅寸法）×１５ｃｍ（切欠部深さ寸法）×１２ｃｍ（桟の水流方向長さ寸法Ｗ１）の空間のみで堰上げしない場合（図８のＣａｓｅ０参照）と、この空間に堰上げ板８を差し入れ、１０ｃｍの高さ分堰上げした場合（図７のＣａｓｅ１からＣａｓｅ５の各条件参照）とについて行った。堰上げ高さ（堰上げ板８の高さＨ３）により、切欠部高さＨ２が決定される（Ｈ２＝桟６の底面から切欠部５Ａ、５Ｂの底面５Ｃまでの高さＨ４＋堰上げ板８の高さＨ３）。隣り合う桟の上端面標高の差は、５．４ｃｍである。欠口部の中心は、各水路側壁から３０ｃｍ離した。
【００４０】
実験は、図７の表に示すように、Ｃａｓｅ１からＣａｓｅ５の各条件（実験流量、流下時間、切欠部水深（堰上げ板８頂部の水深）、切欠部の流れのタイプ、初期砂面（実験前に敷き均した砂の上面形状））と、堰上げ板８を用いず切欠部５Ａ、５Ｂを堰上げしないＣａｓｅ０の条件とで行った。各実験Ｃａｓｅ１〜Ｃａｓｅ５の流下時間経過後の底質形状と表面流速分布を図９ないし図１３に示す。また、図１４は、Ｃａｓｅ１ないし３における底質形状に関するミオ筋中央の断面図で、図１５は、Ｃａｓｅ３ないし５における底質形状に関する水路中央の断面図である。実験は、時間の経過とともに底質の変化を観察し、底質の形状が安定した後に形状の計測を行った。主に欠口部（切欠部）５Ａ、５Ｂに流れが集中する流量時を想定した。計測は、実験流量、底質形状（可視光レーザー式変位センサ）、表面流速（フロートの軌跡画像解析）である。水深は、底質の水際線標高とその地点の底質標高から逆算した。
【００４１】
室内実験では下記の結果が得られた。（１）欠口部（切欠部）５Ａ、５Ｂを全開にして、すなわち、堰上げ板８を使用しないで、実験流量１０．０  ｌ／ｓを流し続けた。流れは、水平蛇行するが、底質は淵を形成するような底掘れまでには至らず流れは水路幅全体に拡散した状態が観察された（図８の実験結果−１、Ｃａｓｅ０（予備実験）参照）。このため、切欠部５Ａ、５Ｂに落下流を生じさせる落下高さがなければ淵が形成されることがないことが判明した。
【００４２】
（２）欠口部（切欠部）５Ａ、５Ｂに堰上げ板８により１０ｃｍの堰上げをし、実験流量３．８０  ｌ／ｓを４５分間（流下時間）流し続けた。この条件で行った実験結果の表面流速分布と底質地形の状況を図５および図６にそれぞれ示す（上流から２段目の底質区間）。この実験は、図７の表中Ｃａｓｅ３および図１１の実験結果に対応し、流量３．８０  ｌ／ｓの小流量で連続４５分間流し続けたところ、この条件で桟天端（桟６上端部）からの深さ１８ｃｍ（最深部）、水深１２ｃｍの淵が欠口部（切欠部）５Ａ、５Ｂ下流に形成され、一方、桟中央部は水深４ｃｍの瀬が形成された。また水路右岸部（図５の下方、図６の下方）には、砂の堆積部（干陸）が形成された。表面流速は、最大で０．５  ｍ／ｓ以下に抑制されている。淵の形成は、欠口部（切欠部）５Ａ、５Ｂの堰上げにより、段落流（落下流）が形成され、鉛直方向の流速エネルギが下流の底質の洗掘に寄与したものと考えられる。これにより、流れの鉛直蛇行が形成される（図７の表中、Ｃａｓｅ３および図１１参照）。この段落流は、越流水深：５．０ｃｍ、落下高さ：６ｃｍ、流量係数：１．７０（単位は水深：ｍ、流量：ｍ３／ｓｅｃで算出）であった。流れの流向は、図５の流速ベクトル図より、下流部（図５の右方）では桟６により強制的に流向が欠口（切欠部）５Ｂへ変更されている。図１１に示すように、図７の表中Ｃａｓｅ３の実験条件では、瀬と淵の形成が見られ、上下流の桟６間で水流の蛇行が見られた。以下、図７の表中Ｃａｓｅ１およびＣａｓｅ２の実験条件でも、図９および図１０に示すように、瀬と淵の形成と蛇行流が見られた。切欠部の流量係数は、図７の表に示すＣａｓｅ１では、１．２３、Ｃａｓｅ２では、１．４２である。
【００４３】
なお、従来の技術である底面をコンクリート面にした場合の、２次元流としての等流計算では水深０．７ｃｍ、平均流速０．５５ｍ／ｓの薄層流の流れとなる（粗度係数；ｎ＝０．０１５）。この水理環境は、水生生物の生息を可能としない。
【００４４】
また、図７のＣａｓｅ４およびＣａｓｅ５に示すように、瀬と淵が形成された状態で、流量を増大させ、桟６の上端部を越流させた場合、切欠部５Ａ、５Ｂの堰上げ板８を越流する流れは、落下流から水平流になる。この場合でも、図１２および図１３に示すように、水深は深くなり、底面形状は多少変化し起伏が激しくなるものの（図１５参照）、瀬１１と淵１２は崩れることなく保持される。なお、実験における測定項目と測定方法については、流量は水路下流に設置した計量堰により算出し、水位はサーボ式水位計により測定した。底質形状は河床変動自動計測システムを使用し、流速分布はフロートにより測定した（フロートによる測定はフロートの軌跡をデジタルビデオで記録後、画像処理して行う）。
【００４５】
以上の実験結果から、水路床に桟を設け、同時に桟に欠口（切欠部）を設け、この欠口を堰上げすることで段落流が発生し、流れが多様化し、流れの多様化により底質形状が変化し、淵と瀬が形成されることが明らかになった。この結果、水路勾配１／２０の傾斜水路においても水生生物の生息を可能にする流れの多様性を確保することが可能である。
【００４６】
さらに、実験結果より、桟６のうち一部を流れ方向の位置を変えて、自然に流れの向きが変化し、平面蛇行が形成される桟間隔として、水路幅のおよそ１．５倍（水路幅１００ｃｍに対し桟間隔１５０ｃｍ）が最も好ましいと判断される。
【００４７】
以上のように、本願発明に係る人工水路とその底質形成方法では、水路の土砂等の底質を制御することにより、流れを制御し、瀬と淵を創出するようにしている。すなわち、水生生物（魚）の生息を確保するために、（１）多様な流速、（２）多様な底質、（３）隠れ場の確保、（４）流れの落差の解消などの最適な環境を作っている。このように、水路の底部に桟（帯工）を設置して流れを蛇行させ、瀬と淵を創出した。また、欠口部（切欠部）は堰上げ可能な構造とし、現地の環境に適応するように欠口規模を調節可能とした。土砂の滞積のない淵は、魚の隠れ場（魚窪地）となるため、その側壁部にはブロックを設けた。さらに、この人工水路では、洪水時には、設置した桟が減勢工の役割を果たし、安全性も向上するようになっている。
【００４８】
このように、本願発明に係る人工水路とその底質形成方法では、水路の流れの多様性を与える手段として、瀬と淵に着目した。瀬と淵に対しては、河川工学において水生生物の生息空間を提供する重要性が認識されている。本工法の作用の要点は下記の事項である。（１）人工水路の安全性から側壁部の護岸は不可欠である。しかし、淵が形成される側壁面には、空隙部が形成されたブロック等による隠れ場の環境を作る。（２）水路底は、地域の自然底質を使用し、流れによる輸送と沈降により自然に形状を遷移させる。過度に洗掘される部分については、土砂の下は有底（コンクリート板（洗掘防止部材）等）にする。（３）低水時には、人工的に流れを収束（集中）あるいは発散させ、瀬と淵を創出させる。（４）流れの蛇行は、特に垂直蛇行を促進させ、同時に流れの減勢を期待する。（５）瀬と淵は、農業水路に多用されているコンクリートフリューム（Ｃｏｎｃｒｅｔｅ  Ｆｌｕｍｅ）を事例とすれば、その底板に桟（帯工）をある間隔に設置し、これに欠口部（切欠部）を底板から所定の高さで設け、流れの集中によるエネルギにより、その下流の底質を洗掘させ淵の形成を図る。桟の間には土砂を充填する。（６）落差の大きな水路では、各欠口部（切欠部）は、魚の魚道ともなり、落差工を省略することも可能であり、上下流への移動経路を確保できる。
【００４９】
図１６の（Ａ）、（Ｂ）は、上記実施の形態の変形例を示すもので、この変形例に係る人工水路２０、２１は、上記実施の形態に係る人工水路２では、隣り合う桟６の切欠部５Ａ、５Ｂは、互いに反対側の側壁部３Ａ、３Ｂ側に設けられ、幅方向の差を大きく設定しているのに対し、隣り合う桟の切欠部２５、２６の幅方向の位置を水路幅のほぼ半分ずつずらせ、水路に緩やかに蛇行する水域を形成するようにしている点が異なっている。係る構成としたことにより蛇行流を水路に確実に形成することができる。
【００５０】
なお、上記実施の形態では、人工水路を勾配を有する傾斜水路について説明しているが、これに限られるものではなく、水平な人工水路についても適用可能であることはいうまでもない。また、ブロック７は、生態系の保全上、必要がなければ設けなくともよいし、ブロックに限定されるものではなく、内部に空隙が確保されるのであれば、金属や材木を組み合わせたものであってもよい。さらに、桟６及び切欠部５Ａ、５Ｂ、２５、２６の寸法は上記実施の形態および実施例のものに限定されるものではなく、人工水路の規模、水量、流速等の現場の状況や保全を求める水生生物の種類等に応じて適宜変更してよいことはいうまでもない。また、上記実施の形態では、底部４に自然底質を利用しているがこれに限られるものではなく、両側壁部と底部との三面をすべてコンクリート張りとしてもよいことはいうまでもない。この場合、淵は自然洗掘されないので、桟間に土砂を投入し、投入された土砂を洗掘させるようにすればよい。またその場合、桟の高さや切欠部の底部からの高さを上げて底質の多様化を図るようにしてもよいことはいうまでもない。
【００５１】
【発明の効果】
本発明に係る人工水路では、底部と側壁部とのうち少なくとも側壁部が保護材により護岸された人工水路において、この人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置したので、淵と瀬が形成されることにより流速と底質とを多様化し、水生生物の棲息可能な水域が増大され、生態系の保全を図ることができる。
【００５２】
本発明に係る人工水路の底質形成方法では、底部と側壁部とのうち少なくとも側壁部が保護材により護岸された人工水路に、両側壁部間を結ぶ桟を所定の間隔で設け、これら桟の上部には、切欠部を設け、この切欠部を上下方向の流れを生じさせる高さに設定するとともに、隣り合う桟の切欠部を互いに幅方向位置を異ならせて配置し、水流が下方に流れる水域と水平に流れる水域とを形成し、水流が下方に流れる水域に洗掘により徐々に淵を形成し、水平に流れる水域に淵の形成に伴い水流中の土砂を堆積させて瀬を形成するようにしたので、減勢水域では、水流中の土砂が徐々に堆積されて瀬が形成され、落下水域では、瀬が形成されるに従って土砂の堆積を抑制する領域に淵が形成され、これら淵と瀬が形成されることにより流速と底質とが多様化され、生態系の保全を図ることができる。
【図面の簡単な説明】
【図１】本発明の一実施の形態に係る人工水路を示す斜視図である。
【図２】（Ａ）、（Ｂ）はそれぞれ、図１の人工水路の、水位が異なる状態の断面を模式的に示す模式図である。
【図３】図１の人工水路の要部（桟）を拡大して示す要部拡大斜視図である。
【図４】図３の桟を用いて実験を行った実験装置の一部を示す説明図である。
【図５】図３および図４に示す実験装置を用いて行った実験の結果のうち表面流速分布に関する実験結果（Ｃａｓｅ３に対応する。）を示す表である。
【図６】図３および図４に示す実験装置を用いて行った実験の結果のうち水路底質地形に関する実験結果（Ｃａｓｅ３に対応する。）を示す表である。
【図７】図３および図４に示す実験装置を用いて行った実験の事例（Ｃａｓｅ１〜Ｃａｓｅ５）示す表である。
【図８】予備実験（Ｃａｓｅ  ０）の実験結果を示す表と備考である。
【図９】図７の事例Ｃａｓｅ１に対応する底質形状と表面流速分布を示す実験結果の表である。
【図１０】図７の事例Ｃａｓｅ２に対応する底質形状と表面流速分布を示す実験結果の表である。
【図１１】図７の事例Ｃａｓｅ３に対応する底質形状と表面流速分布を示す実験結果の表である。
【図１２】図７の事例Ｃａｓｅ４に対応する底質形状と表面流速分布を示す実験結果の表である。
【図１３】図７の事例Ｃａｓｅ５に対応する底質形状と表面流速分布を示す実験結果の表である。
【図１４】図７の事例Ｃａｓｅ１ないし３における底質形状に関するミオ筋中央の断面図である。
【図１５】図７の事例Ｃａｓｅ３ないし５における底質形状に関する水路中央の断面図である。
【図１６】（Ａ）、（Ｂ）はそれぞれ、本発明の変形例に係る人工水路を示す斜視図である。
【符号の説明】
２  人工水路
３Ａ、３Ｂ  側壁部
４  底部
５Ａ、５Ｂ  切欠部（水流制御手段）
６  桟（水流制御手段）
１１  瀬
１２  淵
Ｓ１  落下水域
Ｓ２  減勢水域
【図１】
2004162309.tif 000003
【図２】
2004162309.tif 000004
【図３】
2004162309.tif 000005
【図４】
2004162309.tif 000006
【図５】
2004162309.tif 000007
【図６】
2004162309.tif 000008
【図７】
2004162309.tif 000009
【図８】
2004162309.tif 000010
【図９】
2004162309.tif 000011
【図１０】
2004162309.tif 000012
【図１１】
2004162309.tif 000013
【図１２】
2004162309.tif 000014
【図１３】
2004162309.tif 000015
【図１４】
2004162309.tif 000016
【図１５】
2004162309.tif 000017
【図１６】
2004162309.tif 000018